(57)【要約】【課題】本発明は、照明装置に関する。【解決手段】本発明の照明装置は、励起光束を放射する励起光源と、励起光束の伝播経路に配置される反射式切替え部品と、第一波長変換部品と、第二波長変換部品とを含む。反射式切替え部品が第一状態に切り替えられるとき、反射式切替え部品は励起光束を第一波長変換部品に反射することにより、第一波長変換部品が第一変換光束を放射するように励起する。反射式切替え部品が第二状態に切り替えられるとき、反射式切替え部品は励起光束を第二波長変換部品に反射することにより、第二波長変換部品が第二変換光束を放射するように励起する。【選択図】図１Ａ
2016004269.tif 000002
【特許請求の範囲】
【請求項１】
励起光束を放射する励起光源と、
前記励起光束の伝播経路に配置される反射式切替え部品と、
第一波長変換部品と、
第二波長変換部品と、を含む照明装置において、
前記反射式切替え部品が第一状態に切り替えられるとき、該反射式切替え部品は前記励起光束を前記第一波長変換部品に反射することにより、該第一波長変換部品が第一変換光束を放射するように励起し、前記反射式切替え部品が第二状態に切り替えられるとき、該反射式切替え部品は前記励起光束を前記第二波長変換部品に反射することにより、該第二波長変換部品が第二変換光束を放射するように励起する、照明装置。
【請求項２】
前記第一波長変換部品と前記第二波長変換部品はそれぞれ蛍光体を含有し、かつ前記第一波長変換部品と前記第二波長変換部品が含有する蛍光体の濃度は相違している、請求項１に記載の照明装置。
【請求項３】
前記第一波長変換部品と前記第二波長変換部品はそれぞれ、材質が異なる蛍光体を含む、請求項１に記載の照明装置。
【請求項４】
前記照明装置は、前記第一変換光束と前記第二変換光束のうち少なくとも１つの光束を反射する反射カバーを更に含む、請求項１に記載の照明装置。
【請求項５】
前記反射カバーは、前記第一変換光束を反射する第一子反射カバーと前記第二変換光束を反射する第二子反射カバーとを含み、
前記第一子反射カバーと前記第二子反射カバーに反射された前記第一変換光束と前記第二変換光束は、ターゲット区域に集光される、請求項４に記載の照明装置。
【請求項６】
第一波長変換部品は前記第一子反射カバーの焦点付近に配置され、第二波長変換部品は前記第二子反射カバーの焦点付近に配置される、請求項５に記載の照明装置。
【請求項７】
前記照明装置は第一反射器と第二反射器を更に含み
前記反射式切替え部品が前記第一状態に切り替えられるとき、該反射式切替え部品は前記励起光束を前記第一反射器に反射し、該第一反射器は前記励起光束を前記第一波長変換部品に反射し、
前記反射式切替え部品が前記第二状態に切り替えられるとき、該反射式切替え部品は前記励起光束を前記第二反射器に反射し、該第二反射器は前記励起光束を前記第二波長変換部品に反射する、請求項１に記載の照明装置。
【請求項８】
前記第一波長変換部品と前記第二波長変換部品は、反射カバーの焦点付近に配置される、請求項７に記載の照明装置。
【請求項９】
前記反射式切替え部品、前記第一波長変換部品及び前記第二波長変換部品はいずれも、反射カバーの焦点付近に配置される、請求項１に記載の照明装置。
【請求項１０】
反射カバーには孔部が形成されており、前記励起光源からの前記励起光束は該孔部により前記反射式切替え部品に伝播される、請求項１に記載の照明装置。
【請求項１１】
前記照明装置は制御ユニットを更に含み、該制御ユニットが前記反射式切替え部品に電気的に接続されることにより、該反射式切替え部品が前記第一状態になる時間と前記第二状態になる時間との比率を制御する、請求項１に記載の照明装置。
【請求項１２】
前記励起光源はレーザー光源である、請求項１に記載の照明装置。
【請求項１３】
前記反射式切替え部品は、マイクロミラー付きＭＥＭＳディバイス、又はマイクロミラーアレイを含むＭＥＭＳディバイスである、請求項１に記載の照明装置。
【請求項１４】
前記照明装置は透光型カバーを更に含み、該透光型カバーは、反射カバーに反射された第一変換光束と第二変換光束の伝播経路に配置される、請求項１に記載の照明装置。
【発明の詳細な説明】
【技術分野】
【０００１】
本発明は、照明装置に関し、特にレーザー型照明装置に関するものである。
【背景技術】
【０００２】
この「背景技術」段落の内容は本発明の内容の理解を助けるためのものであり、「背景技術」段落に記載される内容は、当技術分野の常用知識を持っている者が把握していること以外の従来技術も含むことができる。「背景技術」段落に記載される内容について、「背景技術」の内容又は本発明の一個又は複数個の実施例が解決しようとする問題を代表するものは、本発明の出願前に当技術分野の常用知識を持っている者が既に把握又は承知しているものではない。
【０００３】
科学技術が発展することと、省エネの意識が益々強まっていることに伴い、光源装置の構造も（例えば小型化、省エネ化の方向に）発展している。近年、発光ダイオード、レーザーダイオードなどのような固体型光源は、前照灯などのような分野に広く応用されている。発光ダイオードの発光率は約５％〜８％である。発光ダイオードは、異なる色温度を提供することができ、かつ省エネ性が良好であるという利点を有している。レーザーダイオードの発光率は約２０％以上である。したがって、発光ダイオード光源の代りにレーザーダイオード光源を採用し、かつレーザー光源で蛍光体を励起することにより応用可能な高率光源を得ることが、重要な課題になっている。上述した二種の光源は、現在固体型照明として用いられる主な光源になっている。
【０００４】
レーザー光源で蛍光体を励起して発光させる技術は、光源の個数を自由に加減することにより、異なる輝度を発光可能な様々な前照灯を形成できるという利点も有している。すなわち、このような前照灯モジュールが上述した色々な利点を有しているので、前照灯モジュールが従来の高圧水銀ランプに取って代わって、次世代の主な前照灯の光源になることができる。
【０００５】
米国特許公開第２０１１０２４９４６０号公報には前照灯が掲載されている。米国特許第８４３９５３７号公報には光源用保持ユニットが掲載されている。米国特許公開第２０１３００２７９６２号公報には車前照灯が掲載されている。
【先行技術文献】
【特許文献】
【０００６】
【特許文献１】米国特許公開第２０１１０２４９４６０号公報
【特許文献２】米国特許第８４３９５３７号公報
【特許文献３】米国特許公開第２０１３００２７９６２号公報
【発明の概要】
【発明が解決しようとする課題】
【０００７】
本発明に係る照明装置は、簡単な構造により異なる変換光束の間の比率を制御することができる。
【０００８】
本発明の他の目的及びその利点は、本発明に掲載される技術的特徴により一層詳細に理解することができる。
【課題を解決するための手段】
【０００９】
上述した一部分又はすべての目的又は他の目的を実現するため、本発明の実施例においては照明装置を提供する。この照明装置は、励起光源、反射式切替え部品、第一波長変換部品及び第二波長変換部品を含む。励起光源は励起光束を放射する。反射式切替え部品は励起光束の伝播経路に配置される。反射式切替え部品が第一状態に切り替えられるとき、反射式切替え部品は励起光束を第一波長変換部品に反射することにより、第一波長変換部品が第一変換光束を放射するように励起する。反射式切替え部品が第二状態に切り替えられるとき、反射式切替え部品は励起光束を第二波長変換部品に反射することにより、第二波長変換部品が第二変換光束を放射するように励起する。
【００１０】
本発明の実施例において、第一波長変換部品と第二波長変換部品はそれぞれ蛍光体（phosphor）を含有し、かつ第一波長変換部品と第二波長変換部品が含有する蛍光体の濃度は相違している。
【００１１】
本発明の実施例において、第一波長変換部品と第二波長変換部品はそれぞれ、材質が異なる蛍光体を含む。
【００１２】
本発明の実施例において、照明装置は、第一変換光束と第二変換光束のうち少なくとも１つの光束を反射する反射カバーを更に含む。
【００１３】
本発明の実施例において、反射カバーは、第一変換光束を反射する第一子反射カバーと第二変換光束を反射する第二子反射カバーとを含む。第一子反射カバーと第二子反射カバーに反射された第一変換光束と第二変換光束は、ターゲット区域に集光される。
【００１４】
本発明の実施例において、第一波長変換部品は第一子反射カバーの焦点付近に配置され、第二波長変換部品は第二子反射カバーの焦点付近に配置される。
【００１５】
本発明の実施例において、照明装置は第一反射器と第二反射器を更に含む。反射式切替え部品が第一状態に切り替えられるとき、反射式切替え部品は励起光束を第一反射器に反射し、第一反射器は励起光束を第一波長変換部品に反射する。反射式切替え部品が第二状態に切り替えられるとき、反射式切替え部品は励起光束を第二反射器に反射し、第二反射器は励起光束を第二波長変換部品に反射する。
【００１６】
本発明の実施例において、第一波長変換部品と第二波長変換部品は反射カバーの焦点付近に配置される。
【００１７】
本発明の実施例において、反射式切替え部品、第一波長変換部品及び第二波長変換部品はいずれも、反射カバーの焦点付近に配置される。
【００１８】
本発明の実施例において、反射カバーには孔部が形成されており、励起光源からの励起光束はその孔部により反射式切替え部品に伝播される。
【００１９】
本発明の実施例において、照明装置は制御ユニットを更に含み、かつこの制御ユニットが反射式切替え部品に電気的に接続されることにより、反射式切替え部品が第一状態になる時間と第二状態になる時間との比率を制御する。
【００２０】
本発明の実施例において、励起光源はレーザー光源である。
【００２１】
本発明の実施例において、反射式切替え部品は、マイクロミラー付きＭＥＭＳ（micro  electro  mechanical  systems、ＭＥＭＳ）ディバイス、又はマイクロミラーアレイを含むＭＥＭＳディバイスである。
【００２２】
本発明の実施例において、照明装置は透光型カバーを更に含む。この透光型カバーは、反射カバーに反射された第一変換光束と第二変換光束の伝播経路に配置される。
【発明の効果】
【００２３】
本発明の実施例は、後述する発明の効果のうち少なくとも一部分を奏することができる。本発明の実施例に係る照明装置が、第一状態又は第二状態に切り替えることができる反射式切替え部品を採用することにより、簡単な構造で第一変換光束と第二変換光束の比率を制御し、かつ放射された光束の色温度と色を制御することができる。
【００２４】
本発明の上記特徴及び発明の効果をより詳細に説明するため、以下、本発明の好適な実施例とその図面により本発明を詳細に説明する。
【図面の簡単な説明】
【００２５】
【図１Ａ】本発明の実施例に係る照明装置の構造を示す図である。
【図１Ｂ】図１Ａの反射式切替え部品の構造を示す図である。
【図２】本発明の他の実施例に係る照明装置の反射式切替え部品の構造を示す図である。
【図３】本発明の他の実施例に係る照明装置の構造を示す図である。
【図４】本発明の他の実施例に係る照明装置の構造を示す図である。
【発明を実施するための形態】
【００２６】
本発明の前述及び後述する技術的内容、特徴及び効果などは、以下の図面を参照しながら詳細に説明する本発明の好適な実施例により、詳しく理解することができる。以下の実施例に記載される方向用語、例えば、上、下、左、右、前及び後などは、添付図面上の方向のみを示す用語である。すなわち、これらの方向用語は、本発明を説明するものであるが、本発明を限定するものではない。
【００２７】
図１Ａは、本発明の実施例に係る照明装置の構造を示す図であり、図１Ｂは、図１Ａの反射式切替え部品の構造を示す図である。図１Ａと図１Ｂを参照すると、本実施例の照明装置１００は、励起光源１１０と、反射式切替え部品１２０と、第一波長変換部品１３０と、第二波長変換部品１４０とを含む。励起光源１１０は励起光束１１２を放射する。本実施例において、励起光源１１０はレーザー光源である。例えば、励起光源１１０は、一個のレーザーダイオード（laser  diode）又はアレイに配置される複数個のレーザーダイオードを含むことができ、励起光束１１２は、例えばレーザー光束である。本実施例において、第一波長変換部品１３０と第二波長変換部品１４０はそれぞれ蛍光体を含有し、かつ第一波長変換部品１３０と第二波長変換部品１４０が含有する蛍光体の濃度は相違している。
【００２８】
反射式切替え部品１２０は励起光束１１２の伝播経路に配置される。反射式切替え部品１２０が第一状態（すなわち、図１Ａと図１Ｂにおいて実線で示される状態、又は図１Ｂ中の反射鏡１２６が実線位置に位置するときの状態）に切り替えられるとき、反射式切替え部品１２０（すなわち、反射鏡１２６）は励起光束１１２を第一波長変換部品１３０に反射する。それにより、第一波長変換部品１３０が第一変換光束１３２を放射するように励起する。反射式切替え部品１２０が第二状態（すなわち、図１Ａと図１Ｂにおいて点線で示される状態、又は図１Ｂ中の反射鏡１２６が点線位置に位置するときの状態）に切り替えられるとき、反射式切替え部品１２０は励起光束１１２を第二波長変換部品１４０に反射する。それにより、第二波長変換部品１４０が第二変換光束１４２を放射するように励起する。
【００２９】
例えば、励起光束１１２は藍色光束であり、第一波長変換部品１３０と第二波長変換部品１４０はそれぞれ、濃度が異なる黄色蛍光体を含有する。本実施例において、第一波長変換部品１３０に含まれる黄色蛍光体の濃度は、第二波長変換部品１４０に含まれる黄色蛍光体の濃度より低い。したがって、第一波長変換部品１３０は一部分の励起光束１１２を黄色光束に変換することができない。励起光束１１２において第一波長変換部品１３０に変換されない部分は、藍色光束の状態を維持するとともにそのまま第一波長変換部品１３０を透過する。励起光束１１２において第一波長変換部品１３０に変換されないの部分と第一変換光束１３２とが混合されて白色光束になる。
【００３０】
また、第二波長変換部品１４０は少なくとも一部分の励起光束１１２を黄色光束に変換する。励起光束１１２において第二波長変換部品１４０に変換されない部分は、藍色光束の状態を維持するとともにそのまま第二波長変換部品１４０を透過する。かつ、励起光束１１２において第二波長変換部品１４０に変換されないの部分と第二変換光束１４２とが混合されて白色光束になる。
【００３１】
上述したとおり、第一波長変換部品１３０に含まれる黄色蛍光体の濃度は、第二波長変換部品１４０に含まれる黄色蛍光体の濃度より低い。そのため、第一波長変換部品１３０からの励起光束１１２と第一変換光束１３２とが混合されてなった白色光束中の黄色量は、第二波長変換部品１４０からの励起光束１１２と第二変換光束１４２とが混合されてなった白色光束中の黄色量より少ない。すなわち、第一波長変換部品１３０からの白色光束の色温度は、第二波長変換部品１４０からの白色光束の色温度より高い。反射式切替え部品１２０を第一状態と第二状態との間で迅速に切り替えることができるので、反射式切替え部品１２０が第一状態になる時間と第二状態になる時間との間の比率を制御することにより、照明装置１００が放射する白色光束の色温度を制御することができる。
【００３２】
他の実施例において、第一波長変換部品１３０と第二波長変換部品１４０はそれぞれ、材質が異なる蛍光体を含むことができる。例えば、第一波長変換部品１３０と第二波長変換部品１４０が励起光束１１２に励起されるとき、第一波長変換部品１３０と第二波長変換部品１４０はそれぞれ、色が異なる第一変換光束１３２と第二変換光束１４２を放射することができる。所定の時間のうちにおいて、反射式切替え部品１２０が第一状態になる時間と第二状態になる時間との間の比率を制御することにより、照明装置１００が放射する光束の色を制御することができる。
【００３３】
また、第一波長変換部品１３０に含まれる蛍光体の濃度が高いことにより、第一波長変換部品１３０がすべての励起光束１１２を吸収することができる場合、第一波長変換部品１３０から出射する光線には第一変換光束１３２しか含まれない。逆に、第一波長変換部品１３０に含まれる蛍光体の濃度が低いことにより、第一波長変換部品１３０がすべての励起光束１１２を吸収することができない場合、（第一波長変換部品１３０に吸収されていない）一部分の励起光束１１２は第一波長変換部品１３０を透過するとともに第一変換光束１３２と混合される。また、第二波長変換部品１４０に含まれる蛍光体の濃度が高いことにより、第二波長変換部品１４０がすべての励起光束１１２を吸収することができる場合、第二波長変換部品１４０から出射する光線には第二変換光束１４２しか含まれない。逆に、第二波長変換部品１４０に含まれる蛍光体の濃度が低いことにより、第二波長変換部品１４０がすべての励起光束１１２を吸収することができない場合、（第二波長変換部品１４０に吸収されていない）一部分の励起光束１１２は第二波長変換部品１４０を透過するとともに第二変換光束１４２と混合される。
【００３４】
反射式切替え部品１２０は、例えば、マイクロミラー付きＭＥＭＳディバイス（例えば、図１Ｂに示すとおり）であり、ベース１２２と、反射鏡１２６と、このベース１２２及び反射鏡１２６を連結する連結部１２４とを含む。この場合、ベース１２２（例えば、ベース１２２の電極、図示せず）に電圧を印加して、ベース１２２と反射鏡１２６との間に、異なる極同士による引き合い力又は同じ極同士による反発力を形成することにより、反射鏡１２６を第一状態と第二状態との間で回転させ、かつその反射鏡１２６を色々な角度に止めることができる。本実施例において、第一状態は反射鏡１２６が＋１０度に傾斜されることを意味し、第二状態は反射鏡１２６が−１０度に傾斜されることを意味するが、本発明はそれに限定されるものではない。
【００３５】
本発明の他の実施例において、図１Ａ及び図１Ｂに示される反射式切替え部品１２０の代りに、図２に示される反射式切替え部品１２０ａを用いることができる。図１Ａ及び図２を参照すると、図２の反射式切替え部品１２０ａは、マイクロミラーアレイを含むＭＥＭＳディバイスであり、アレイに配列される複数個の反射鏡１２６ａと、それらの反射鏡１２６ａをベース１２２にそれぞれ連結する複数個の連結部１２４ａとを含む。それらの反射鏡１２６ａは第一状態と第二状態との間で迅速に切り替えることができる。それらの反射鏡１２６ａを第一状態に切り替えるとき、それらの反射鏡１２６ａは励起光源１１０からの励起光束１１２を第一波長変換部品１３０に反射する。それらの反射鏡１２６ａを第二状態に切り替えるとき、それらの反射鏡１２６ａは励起光源１１０からの励起光束１１２を第二波長変換部品１４０に反射する。それにより、反射式切替え部品１２０ａも反射式切替え部品１２０のような効果を奏することができる。反射式切替え部品１２０ａは、デジタルマイクロミラーデバイス（digital  micro−mirror  device、ＤＭＤ）であることができる。反射式切替え部品１２０ａは、画素数が一般のデジタルマイクロミラーデバイスの画素数より少ないＭＥＭＳディバイスであることもできる。静電気で反射鏡１２６ａを制御することにより当該反射鏡１２６ａを第一状態と第二状態との間で切り替える原理は、デジタルマイクロミラーデバイスでマイクロミラーを制御することにより当該マイクロミラーを色々な角度に回転させる原理と同様である。しかし、両者の相違点は、反射鏡１２６ａの面積が一般のデジタルマイクロミラーデバイスのマイクロミラーの面積より大きく、反射鏡１２６ａの個数が一般のデジタルマイクロミラーデバイスのマイクロミラーの個数より多いことにある。また、反射式切替え部品１２０において反射鏡１２６を切り替える原理も、デジタルマイクロミラーデバイスにおいてマイクロミラーを切り替える原理と同様である。
【００３６】
照明装置１００は、第一変換光束１３２と第二変換光束１４２のうち少なくとも１つの光束を反射する反射カバー１５０を更に含む。本実施例において、この反射カバー１５０は、第一変換光束１３２、第二変換光束１４２及び変換されていない励起光束１１２（一部分の励起光束が変換されていない場合）を反射することができる。
【００３７】
本実施例において、反射カバー１５０は、第一子反射カバー１５２と第二子反射カバー１５４とを含む。第一子反射カバー１５２は第一変換光束１３２を反射し、第二子反射カバー１５４は第二変換光束１４２を反射する。第一子反射カバー１５２と第二子反射カバー１５４に反射された第一変換光束１３２と第二変換光束１４２は、ターゲット区域Ａに集光される。一部分の励起光束１１２が変換されていない場合、第一変換光束１３２、第二変換光束１４２及び変換されていない励起光束１１２がターゲット区域Ａに集光される。
【００３８】
本実施例において、照明装置１００は制御ユニット１６０を更に含む。この制御ユニット１６０が反射式切替え部品１２０に電気的に接続されることにより、反射式切替え部品１２０が第一状態になる時間と第二状態になる時間との間の比率を制御することができる。すなわち、制御ユニット１６０によって照明装置１００が放射する光束の色温度と色を制御することができる。制御ユニット１６０は、ハードウェア（例えば、デジタルロジック回路）、ソフトウェア又はファームウェアにより反射式切替え部品１２０を制御することができる。
【００３９】
本実施例において、第一波長変換部品１３０は第一子反射カバー１５２の焦点付近に配置され、第二波長変換部品１４０は第二子反射カバー１５４の焦点付近に配置される。本実施例において、第一子反射カバー１５２と第二子反射カバー１５４が例えば楕円球面形状の反射カバーであることにより、第一変換光束１３２、第二変換光束１４２及び変換されていない励起光束１１２をターゲット区域Ａに集光することができる。しかし、他の実施例において、第一子反射カバー１５２と第二子反射カバー１５４を、放物面形状の反射カバー、任意曲面形状の反射カバー又は他の形状の反射カバーに形成することもできる。
【００４０】
本実施例の照明装置１００において、第一状態又は第二状態に切り替えることができる反射式切替え部品１２０を採用することにより、簡単な構造で第一変換光束１３２と第二変換光束１４２の比率を制御し、かつ放射された光束の色温度と色を制御することができることができる。励起光源１１０が一個のレーザー生成部品（例えば、レーザーダイオード）のみを含むときも、照明装置１００は放射された光束の色温度と色を制御することができることができる。照明装置１００を高輝度の場所に採用するとき、照明装置１００は複数個のレーザー生成部品を含むことができ、かつ需要に応じてそれらのレーザー生成部品の個数を自由に加減することができる。また、本実施例の照明装置１００が複数のレーザー光束を蛍光体に集光させる集光部品を採用しなくてもよいので、照明装置１００の体積が大きくなり、部品の位置決めが難しくなり、集光部品に大量の熱が集まりかつ放熱しにくいことによって蛍光体の変換率が悪くなることを防ぐことができる。
【００４１】
本実施例において、コリメーティングレンズ１８０又はコリメーティングレンズモジュールを励起光源１１０から出射された励起光束１１２の伝播経路に配置することにより、励起光束１１２を直線に反射式切替え部品１２０に伝播することができる。他の実施例において、照明装置１００は透光型カバー１７０を更に含むことができる。その透光型カバー１７０は、反射カバー１５０に反射された第一変換光束１３２と第二変換光束１４２の伝播経路に配置されるか、或いはすべての励起光束１１２が完全に吸収されていない場合、その透光型カバー１７０は励起光束１１２の伝播経路に配置される。本実施例において、照明装置１００を車用照明装置、例えば前照灯にし、透光型カバー１７０をランプシェードにすることができる。また、ターゲット区域Ａは、例えば路面、前の車、建物、路上の障害物などが位置する区域であることができる。
【００４２】
図３は、本発明の他の実施例に係る照明装置の構造を示す図である。図３の照明装置１００ｂと図１Ａの照明装置１００とは類似しているが、両者の間には以下のような相違点がある。本実施例の照明装置１００ｂは、第一反射器１９２と第二反射器１９４を更に含む。反射式切替え部品１２０が第一状態に切り替えられるとき、反射式切替え部品１２０は励起光束１１２を第一反射器１９２に反射し、第一反射器１９２は励起光束１１２を第一波長変換部品１３０に反射する。反射式切替え部品１２０が第二状態に切り替えられるとき、反射式切替え部品１２０は励起光束１１２を第二反射器１９４に反射し、第二反射器１９４は励起光束１１２を第二波長変換部品１４０に反射する。本実施例において、第一反射器１９２と第二反射器１９４は、例えば反射鏡又は反射用プリズムである。
【００４３】
本実施例において、第一波長変換部品１３０と第二波長変換部品１４０は、反射カバー１５０ｂの焦点付近に配置される。本実施例の反射カバー１５０ｂは、例えば楕円球面形状の反射カバーである。しかし、他の実施例において、その反射カバー１５０ｂを、放物面形状の反射カバー、任意曲面形状の反射カバー又は他の形状の反射カバーに形成することもできる。
【００４４】
図４は、本発明の他の実施例に係る照明装置の構造を示す図である。図４の照明装置１００ｃと図１Ａの照明装置１００とは類似しているが、両者の間には以下のような相違点がある。本実施例の照明装置１００ｃにおいて、反射カバー１５０ｃには孔部１５６ｃが形成され、励起光源１１０からの励起光束１１２はその孔部１５６ｃにより反射式切替え部品１２０に伝播される。また、本実施例において、反射式切替え部品１２０、第一波長変換部品１３０及び第二波長変換部品１４０はいずれも、反射カバー１５０ｃの焦点付近に配置される。本実施例の反射カバー１５０ｃは、例えば楕円球面形状の反射カバーである。しかし、他の実施例において、その反射カバー１５０ｃを、放物面形状の反射カバー、任意曲面形状の反射カバー又は他の形状の反射カバーに形成することもできる。
【００４５】
上述したとおり、本発明の実施例により、後述する発明の効果のうち少なくとも一部分を奏することができる。本発明の実施例に係る照明装置は、第一状態又は第二状態に切り替えることができる反射式切替え部品を採用することにより、簡単な構造で第一変換光束と第二変換光束の比率を制御し、かつ放射された光束の色温度と色を制御することができることができる。
【００４６】
以上、本発明の好適な実施例を詳述してきたが、本発明がそれらの実施例の構成にのみ限定されるものではないため、本発明の要旨を逸脱しない範囲の設計の変更等があっても当然に本発明に含まれる。本発明のいずれかの実施例又は特許請求の範囲は本発明に記載されているすべての目的、利点又は特徴などを実現しなくてもよい。要約と発明の名称は、特許文献の検索に使われるものではあるが、本発明の特許請求の範囲を定めるものではない。また、本発明の明細書又は特許請求の範囲に「第一」、「第二」などのような用語が記載されているが、それらはそれぞれ、異なる実施例における部品を示すものであり、部品の個数の上限又は下限を示すものではない。
【符号の説明】
【００４７】
１００、１００ｂ、１００ｃ  照明装置
１１０  励起光源
１１２  励起光束
１２０、１２０ａ  反射式切替え部品
１２２  ベース
１２４、１２４ａ  連結部
１２６、１２６ａ  反射鏡
１３０  第一波長変換部品
１３２  第一変換光束
１４０  第二波長変換部品
１４２  第二変換光束
１５０、１５０ｂ、１５０ｃ  反射カバー
１５２  第一子反射カバー
１５４  第二子反射カバー
１５６ｃ  孔部
１６０  制御ユニット
１７０  透光型カバー
１８０  コリメーティングレンズ
１９２  第一反射器
１９４  第二反射器
Ａ  ターゲット区域
【図１Ａ】
2016004269.tif 000003
【図１Ｂ】
2016004269.tif 000004
【図２】
2016004269.tif 000005
【図３】
2016004269.tif 000006
【図４】
2016004269.tif 000007